(57)【要約】【課題】  柱の垂直度を出すことと柱の位置決めが容易な柱立設装置の提供。【解決手段】  柱１と、上フレーム２とを備え、柱１は、上下方向の略全長に沿って設けた壁面当接部３と、下部に設けた長さ調節部４と、上部に設けた当接部６と、上部に設けた係止部７と、上部に設けた被外れ止め部１１とを有し、上フレーム２は、被当接部９と、被係止部１０と、外れ止め部１２とを長手方向に有し、柱１は、係止部７を上フレームの被係止部１０に係止して吊り下げることができ、長さ調節部４を操作して柱を伸ばしたときに、柱の当接部６が上フレームの被当接部９に圧接し、柱を伸縮する際に柱が前側に倒れないように、外れ止め部と被外れ止め部とが係合していることを特徴とする。【選択図】      図１
2005046551.tif 000002
【特許請求の範囲】
【請求項１】
柱と、上フレームとを備え、柱は、上下方向の略全長に沿って設けた壁面当接部と、下部に設けた長さ調節部と、上部に設けた当接部と、上部に設けた係止部と、上部に設けた被外れ止め部とを有し、上フレームは、被当接部と、被係止部と、外れ止め部とを長手方向に有し、柱は、係止部を上フレームの被係止部に係止して吊り下げることができ、長さ調節部を操作して柱を伸ばしたときに、柱の当接部が上フレームの被当接部に圧接し、柱を伸縮する際に柱が前側に倒れないように、外れ止め部と被外れ止め部とが係合していることを特徴とする柱立設装置。
【請求項２】
柱と、上フレームとを備え、柱は、上下方向の略全長に沿って設けた壁面当接部と、下部に設けた長さ調節部と、上部に上方に突出して設けた外れ防止フィンと、上部に上方に突出して設けた係止フィンと、上部に設けた当接部とを有し、上フレームは、下側に開口する外れ防止フィン収容凹部と、下側に開口するとともに係止フィンの被係止部を備える係止フィン収容凹部と、被当接部とを長手方向に有し、柱は、係止フィンを上フレームの被係止部に係止して吊り下げることができ、長さ調節部を操作して柱を伸ばしたときに、柱の当接部が上フレームの被当接部に、係止フィンの上面が係止フィン収容凹部の底面にそれぞれ圧接し、外れ防止フィン収容凹部は、前側壁で柱を伸縮する際に柱が前側に倒れないように規制することを特徴とする柱立設装置。
【発明の詳細な説明】
【技術分野】
【０００１】
本発明は、部屋の壁に添って収納棚や意匠パネル、間仕切り等を設置するための柱を立設する柱立設装置に関するものである。
【背景技術】
【０００２】
間仕切り用のパネルを取付けている柱等、立設位置を調整可能な柱は、下部に長さ調節部を設けて、天井に設置した上フレームと床に設置した下フレームとの間に、突っ張るような形で固定している（例えば、特許文献１参照。）。そのように柱を上下フレーム間に突っ張るように固定する際、柱の垂直度を正確に出して、尚且つ柱の位置決めを正確に行うことは容易ではなく、柱の施工に時間が掛かっていた。
【特許文献１】特開平４−１６９６３１号公報
【発明の開示】
【発明が解決しようとする課題】
【０００３】
本発明は上記実情に鑑みて成されたものであって、柱の垂直度を出すことと柱の位置決めが容易な柱立設装置の提供を目的とする。
【課題を解決するための手段】
【０００４】
上記の課題を達成するために本発明の柱立設装置は、柱と、上フレームとを備え、柱は、上下方向の略全長に沿って設けた壁面当接部と、下部に設けた長さ調節部と、上部に設けた当接部と、上部に設けた係止部と、上部に設けた被外れ止め部とを有し、上フレームは、被当接部と、被係止部と、外れ止め部とを長手方向に有し、柱は、係止部を上フレームの被係止部に係止して吊り下げることができ、長さ調節部を操作して柱を伸ばしたときに、柱の当接部が上フレームの被当接部に圧接し、柱を伸縮する際に柱が前側に倒れないように、外れ止め部と被外れ止め部とが係合していることを特徴とする。
【０００５】
また本発明の柱立設装置は、柱と、上フレームとを備え、柱は、上下方向の略全長に沿って設けた壁面当接部と、下部に設けた長さ調節部と、上部に上方に突出して設けた外れ防止フィンと、上部に上方に突出して設けた係止フィンと、上部に設けた当接部とを有し、上フレームは、下側に開口する外れ防止フィン収容凹部と、下側に開口するとともに係止フィンの被係止部を備える係止フィン収容凹部と、被当接部とを長手方向に有し、柱は、係止フィンを上フレームの被係止部に係止して吊り下げることができ、長さ調節部を操作して柱を伸ばしたときに、柱の当接部が上フレームの被当接部に、係止フィンの上面が係止フィン収容凹部の底面にそれぞれ圧接し、外れ防止フィン収容凹部は、前側壁で柱を伸縮する際に柱が前側に倒れないように規制することを特徴とする。
【発明の効果】
【０００６】
柱の係止部を上フレームの被係止部に係止して、柱を上フレームに吊り下げると、柱は壁面当接部が壁面に当接し、重力の作用によって自然に垂直になるから、柱の垂直度を出す手間が要らない。さらに、吊り下げたままの状態で柱を上フレームに沿ってスライドさせることで、柱の垂直度を保ったまま、柱の位置決めを容易に行うことができる。また、上フレームの外れ止め部と柱の被外れ止め部とにより、柱を伸縮する際に柱が前側に倒れないように規制しているので、柱の係止部が上フレームの被係止部から外れても柱が前側に倒れることがなく、簡便に柱を立設固定できる。柱は、上フレームさえ取付けておけば、壁面上の任意の位置に簡単に立設できる。
【０００７】
柱の上部に係止フィンを上方に突出して設け、上フレームに下側に開口する係止フィン収容凹部を設け、柱を伸ばしたときに、柱の当接部が上フレームの被当接部に圧接し、且つ係止フィンの上面が係止フィン収容凹部の底面に圧接するものであれば、柱上端部の上フレームへの固定強度が増大する。柱の上部に外れ防止フィンを上方に突出して設け、これを上フレームに下側に開口して設けた外れ防止フィン収容凹部に差し込んだものであれば、柱の伸縮量が大きくても、柱の倒れを確実に規制できる。
【発明を実施するための最良の形態】
【０００８】
以下、本発明の実施の形態を図面に基づいて説明する。本発明の柱立設装置は、部屋の壁面に添って任意の位置に柱１を立設できるもので、図７はこの柱立設装置を利用して構成した壁面収納を示している。柱１には棚受け３７を取付け、左右の柱の棚受け３７に棚板１５を架設して収納棚を形成し、さらに、柱１間に横材１６を架設し、柱１と横材１６とで構成される枠の内側に、バックパネル１７を取付けている。柱立設装置は、柱１と、上フレーム２とで構成される。
【０００９】
柱１は、アルミの中空押出し形材を用いており、図２に示すように、後側の面が平坦な壁面当接部３となっており、左右の側面と前面には部材取付溝１８を長手方向に３列ずつ有している。部材取付溝１８は、パネル１７の縁部を嵌め込んで保持させたり、溝内に裏板１９を係止させ、その裏板にネジ止めして柱１に種々の部材を取付けるのに利用される。例えば横材１６の柱１との連結は、図３に示すように、横材１６の端部にジョイントパーツ２０をネジ２１で取付け、ジョイントパーツ２０を柱１の側面に当接し、部材取付溝１８内に配置した裏板１９にジョイントパーツ２０をネジ２２で固定している。前面側の部材取付溝１８の溝底面には、図４に示すように、棚受け３７の係止片２３が係止する係止孔２４を上下方向に間隔をおいて形成してあり、これにより棚受け３７を柱１の任意の高さ位置に取付けできる。
柱１の下端部には、柱の長さ調節部４を有している。長さ調節部４は、柱１の中空部に下部金具２５を差し込んで側方よりネジ止めし、下部金具に設けた上下方向の雌ネジ孔にボルト２６を捩じ込んだ構造となっており、ボルトの頭５をレンチで回せば、柱１の全長が変化する。
柱１の上端部には、上部金具２８を取り付けて、柱１を上フレーム２に係止して吊り下げるための係止部７と、柱１を上フレーム２と床２７との間で突っ張り固定する際に上フレーム２に圧接する当接部６と、柱を伸縮する際に柱が倒れないように規制するための被外れ止め部とを形成してある。上部金具２８は、アルミの押出し形材を短い幅で切断して形成したもので、前側に、係止部７として上方に突出する係止フィン１４と、その上端部に鉤状の係止片４７を有しており、後側に当接部６ａを備えている。係止フィン１４と当接部６ａの間には、被外れ止め部としての外れ防止フィン１１を、上方に突出して備えている。
【００１０】
上フレーム２は、アルミの押出し形材による長尺の部材で、天井３０と壁３１との角の部分にネジ３２ａ，３２ｂで取付けてある。上フレーム２は、壁面に取付ける壁側フレーム２ａと、天井に取付ける天井側フレーム２ｂの二部材で構成してある。壁側フレーム２ａの下部には、前側に向けて開口するピクチャーレール３３を有しており、図５に示すように、ピクチャーレール内に設置した金具３４を利用して、絵や写真等のパネルを吊り下げることができる。壁側フレーム２ａの上側には、後側に向けて開口する廻り縁収容凹部８を有している。したがって、既存の廻り縁３５やピクチャーレール等の障害物がある場合でも、それらを取り除くことなく壁側フレーム２ａをそのまま取付けできる。なお、もともと廻り縁３５がない場合には、廻り縁収容凹部８にスペーサーを配置して、壁側フレーム２ａを壁３１に取付ける。天井側フレーム２ｂは、その前側に、下側に開口する係止フィン収容凹部１３を形成してあり、係止フィン収容凹部１３の後側の下部には、係止フィン１４の係止片４７が係止する被係止部１０を前方に突出形成してある。天井側フレーム２ｂの後側には、外れ止め部としての外れ防止フィン収容凹部１２を、下側に開口する形で形成してある。天井側フレーム２ｂには、図５に示すようにスポットライト３６等を取付けることができ、その電源コード４６をフレーム内に収容することもできる。
【００１１】
柱１を立設する際には、柱のボルト２６をあらかじめ深めに捩じ込んでおいてから、図６（ａ）に示すように、柱１の係止フィン先端の係止片４７を、上フレーム２の前側に設けた被係止部１０に係止して、柱１を上フレーム２に吊り下げる。すると柱１は、壁面当接部３が壁３１に当接して垂直な状態となり、その状態のまま柱１の位置をずらして、柱の位置決めを容易に行うことができる。柱１の位置が決まったら、ボルト２６をレンチで回転させて、柱１を徐々に伸ばしてゆく。このときには、図６（ｂ）に示すように、柱１が前側に倒れようとすると、柱の外れ防止フィン１１が、上フレームの外れ防止フィン収容凹部１２の前側壁３８に係止するため、柱１は前側に倒れないように規制される。さらにボルト２６を回転させて柱１を伸ばすと、図６（ｃ）に示すように、係止フィン１４の先端部が上フレームの係止フィン収容凹部１３に収容され、柱の壁側の当接部６ａ、係止フィンの上面４６、外れ防止フィンの後側の角部６ｂの３箇所が、上フレーム２のピクチャーレールの下面９ａ、係止フィン収容凹部の底面４７、ピクチャーレールの上側の角部９ｂにそれぞれ圧接し、柱１は、上フレーム２と床２７の間に突っ張る形で固定される。
【００１２】
ボルト２６の下には敷板３９を敷き、床２７が傷付くのを防いでいる。さらに、床にカーペット等の敷物が敷いてある場合には、ボルト２６の沈み込みを防ぐために、床上に下フレーム４０を設置している。図１中の符号４１は、樹脂やアルミの押出し形材で形成した巾木であり、前面が着脱できるようにしてあって、内部の中空部に電源コードやＬＡＮケーブル等を納めている。
【００１３】
図８は、本発明の柱立設装置の利用方法のバリエーションを示している。柱１ａには、キャスター４２を備えたつい立て状の間仕切りパネル４３を蝶番等で回動自在に取付けてあり、これによれば、柱１ａの位置を移動することで間仕切りパネル４３の位置が移動し、室内の空間を自由に仕切ることができ、不要な時には間仕切りパネル４３を壁に添わせて収納しておくこともできる。別の柱１ｂには、アコーディオンドア状の間仕切りスクリーン４４を取付け、隣の部屋との空間を仕切っている。部屋のコーナー部には、柱を利用してコーナーラック４５を構成している。
【００１４】
本発明の柱立設装置は、以上に述べた実施形態に限定されない。柱に設ける係止部、上フレームに設ける被係止部は、柱を上フレームから吊り下げ得るように係止するものであれば、その形態は問わない。また、柱に設ける被外れ止め部、上フレームに設ける外れ止め部は、柱が倒れようとしたときに互いに当接して、柱が前側に倒れることを防止できるものであればよい。柱の当接部と上フレームの被当接部は、複数箇所設けたものに限らず、一箇所ずつであってもよいが、柱を伸ばして互いに圧接させたときに、圧接したまま簡単に外れない構造となっていることが好ましい。
【図面の簡単な説明】
【００１５】
【図１】本発明の柱立設装置の実施形態を示す縦断面図である。
【図２】柱の横断面図である。
【図３】横材の柱への連結構造を示す分解斜視図である。
【図４】棚受けの柱への取付構造を示す断面図である。
【図５】上フレームの利用方法の一例を示す側面図である。
【図６（ａ）（ｂ）（ｃ）】柱を立設する際の柱上端部と上フレームとの取合いを示す縦断面図である。
【図７】本発明の柱立設装置を利用して構成した壁面収納の正面図である。
【図８】柱立設装置の利用方法のバリエーションを示す斜視図である。
【符号の説明】
【００１６】
１  柱
２  上フレーム
３  壁面当接部
４  長さ調節部
５  ボルトの頭
６，６ａ，６ｂ  当接部
７  係止部
８  廻り縁収容凹部
９，９ａ，９ｂ  被当接部
１０  被係止部
１１  外れ防止フィン（被外れ止め部）
１２  外れ防止フィン収容凹部（外れ止め部）
１３  係止フィン収容凹部
１４  係止フィン
３８  外れ防止フィン収容凹部の前側壁
４６  係止フィンの上面
４７  係止フィン収容凹部の底面
【図１】
2005046551.tif 000003
【図２】
2005046551.tif 000004
【図３】
2005046551.tif 000005
【図４】
2005046551.tif 000006
【図５】
2005046551.tif 000007
【図６（ａ）（ｂ）（ｃ）】
2005046551.tif 000008
【図７】
2005046551.tif 000009
【図８】
2005046551.tif 000010